(57)【要約】  【課題】  載置された原稿にコンタクトガラスから浮き上がっている部分があったとき、コンタクトガラスに静電荷を付けることで、これをコンタクトガラス側に吸い付けることで、鮮明な画像を得ることができる画像読取装置を提供すること。  【解決手段】  遮光板２０の開閉を感知する遮光板開閉感知センサ２４によって、原稿が検知された場合、システム制御部５０の制御によって、紙搬送ベルト２２を帯電装置２６により帯電させて、原稿を遮光板２０とコンタクトガラス３０の間に付着させて、原稿の読取を行う。一方、遮光板開閉感知センサ２４によって、遮光板２０の開閉の検知、および原稿検知センサ３２によって、原稿の検知がない場合は、紙転送ベルト２２を除電装置２８により除電して、ＡＤＦ読取に影響が出ないようにする。【選択図】 図１
2006050007.tif 000002
【特許請求の範囲】
【請求項１】
原稿搬送用のベルトを備え、原稿を押圧するよう開閉可能な遮光板と、この遮光板に対向し、原稿を載置するためのコンタクトガラスと、このコンタクトガラス上に載置された原稿を読み取るスキャナとを備えた原稿読取装置において、
前記遮光板の開閉を感知できる遮光板開閉感知センサと、コンタクトガラス上に原稿が載置されたことを検知する原稿検知センサと、遮光板の紙搬送ベルトを帯電させる帯電装置とをさらに備え、
前記遮光板開閉感知センサが遮光板が開いたことを感知し、且つ原稿検知センサが原稿の載置を検知したとき、前記帯電装置が前記紙搬送ベルトを帯電させることを特徴とする画像読取装置。
【請求項２】
前記帯電装置により紙搬送ベルトを帯電させた後、スキャナにより原稿の読み取りが行われたとき、帯電装置により帯電した紙搬送ベルトを除電する除電装置をさらに備えたことを特徴とする請求項１記載の画像読取装置。
【発明の詳細な説明】
【技術分野】
【０００１】
本発明は、読み取り原稿をコンタクトガラスに密着させることで鮮明な画像を得ることができる画像読取装置に関する。
【背景技術】
【０００２】
通常、例えば複合機のスキャナで原稿画像を読み取るときは、読み取り対象となる原稿をコンタクトガラス上に載置して行なっている。このコンタクトガラスには、読み取る原稿のサイズに合わせて原稿を載置する位置を指示してあるのが普通である。
【発明の開示】
【発明が解決しようとする課題】
【０００３】
ところで、読み取り対象となる原稿が、折れ曲がっていたり、皺がよっていたりした場合、コンタクトガラス面と原稿がきれいに密着せず、部分的に浮き上がった状態となることがあった。
このような状態で、複写作業を行うと、形成画像に不鮮明な箇所が生じるのが不可避であった。
そこで、本発明の目的は、載置された原稿にコンタクトガラスから浮き上がっている部分があったとき、コンタクトガラスに静電荷を付けることで、これをコンタクトガラス側に吸い付けることで、鮮明な画像を得ることができる画像読取装置を提供することである。
【課題を解決するための手段】
【０００４】
請求項１記載の発明では、原稿搬送用のベルトを備え、原稿を押圧するよう開閉可能な遮光板と、この遮光板に対向し、原稿を載置するためのコンタクトガラスと、このコンタクトガラス上に載置された原稿を読み取るスキャナとを備えた原稿読取装置において、前記遮光板の開閉を感知できる遮光板開閉感知センサと、コンタクトガラス上に原稿が載置されたことを検知する原稿検知センサと、遮光板の紙搬送ベルトを帯電させる帯電装置とをさらに備え、前記遮光板開閉感知センサが遮光板が開いたことを感知し、且つ原稿検知センサが原稿の載置を検知したとき、前記帯電装置が前記紙搬送ベルトを帯電させることにより、前記目的を達成する。
【０００５】
請求項２記載の発明では、請求項１記載の発明において、前記帯電装置により紙搬送ベルトを帯電させた後、スキャナにより原稿の読み取りが行われたとき、帯電装置により帯電した紙搬送ベルトを除電する除電装置をさらに備えたことを特徴とする。
【発明の効果】
【０００６】
請求項１記載の発明では、曲がっている原稿や皺のよっている原稿をコンタクトガラスに吸い付けることで、画像を正確に読み取ることができる。
請求項２記載の発明では、除電装置で除電を行うことで、原稿搬送に不都合が生じることを防止することができる。
【発明を実施するための最良の形態】
【０００７】
以下、本発明の好適な実施の形態を図１ないし図５を参照して、詳細に説明する。
図１は、本実施の形態に係る画像読取装置１０の構成を示した図であり、図２は、本実施の形態で用いる遮光板２０とコンタクトガラス３０のイメージ図である。
図１に示すように、本実施の形態で用いる画像読取装置１０は、遮光板２０、コンタクトガラス３０およびスキャナ４０より構成されている。
遮光板２０には、ＡＤＦ（自動原稿送り装置）を使用する際、原稿を搬送する紙搬送ベルト２２が設けられており、且つ、遮光板２０の開閉を感知する遮光板開閉感知センサ２４、前記紙搬送ベルト２２に電圧を印加させることにより帯電させる帯電装置２６およびこの帯電装置２６により帯電させられた紙搬送ベルトを除電する除電装置２８と接続している。
コンタクトガラス３０は、原稿が載置されたことを検知する原稿検知センサ３２が接続されている。
この画像読取装置１０全体は、システム制御部５０により制御されている。
【０００８】
まず、遮光閉感知センサ２４が、遮光板２０が開かれたことを感知したら、遮光板２０に帯電装置２６から電圧を印加する。例として、図３に示すように、正電圧を印加するときに、遮光板２０の裏面は負の電荷が付き、そしてコンタクトガラス３０の表面に正の電荷が寄せることとなる。遮光板２０とコンタクトガラス３０は絶縁体なので、電圧を印加のままで遮光板２０を開くと、図４に示すように、コンタクトガラス３０の表面に正の電荷が残る。この状態で、原稿がコンタクトガラス３０の表面に吸い付けられる。また、遮光板２０を閉じると、帯電装置２６による電圧印加を停止し、遮光板２０の表は負の電荷とコンタクトガラス３０の表面の正の電荷と結合し、余分の静電気が消える。
また、コンタクトガラス３０の表面に正の電荷をつけることで、遮光板２０が開いたままで原稿を置かない状態で、スキャン用のラインセンサーに正の電荷を付けて、スキャン動作を行うとコンタクトガラス２０の表面に正の電荷をつけられた埃を飛ばすこともできる。
【０００９】
次に、第２の実施の形態を説明する。遮光板２０の開閉を感知する遮光板開閉感知センサ２４によって、原稿が検知された場合、システム制御部５０の制御によって、紙搬送ベルト２２を帯電装置２６により帯電させて、原稿を遮光板２０とコンタクトガラス３０の間に付着させて、原稿の読取を行う。
一方、遮光板開閉感知センサ２４によって、遮光板２０の開閉の検知、および原稿検知センサ３２によって、原稿の検知がない場合は、紙転送ベルト２２を除電装置２８により除電して、ＡＤＦ（ａｕｔｏ  ｄｏｃｕｍｅｎｔ  ｆｅｅｄｅｒ）読取に影響が出ないようにする。ＡＤＦの読取では、遮光板２０とコンタクトガラス３０の間に電荷があると、スムーズに自動転送できなくなるからである。
【００１０】
原稿がセットされると、ＡＤＦによる読み取りか否かを判断する（ステップ１０）。ＡＤＦ読み取りでない場合（ステップ１０；Ｎ）、遮光板２０の開閉を遮光板開閉検知センサ２４が検知し（ステップ１１；Ｙ）、原稿検知センサ３２が、原稿を検知すると（ステップ１２；Ｙ）、その旨をシステム制御部５０に通知する（ステップ１３）。
通知を受けたシステム制御部５０は、帯電装置２６により紙搬送ベルト２２に印加して帯電させる。この結果、原稿がコンタクトガラス３０に密着する。そして、スキャナ４０に、この原稿の読み取りが行われる（ステップ１５）。その後、除電装置２８により、除伝を行う（ステップ１６）。
なお、ＡＤＦで原稿の搬送を行うとき（ステップ１０；Ｎ）、遮光板開閉検知センサ２４が遮光板２０の開閉を検知しないとき（ステップ１１；Ｎ）および原稿検知センサ３２原稿を検知しないとき（ステップ１２；Ｎ）は、その旨をシステム制御部５０に通知し、システム制御部５０は、除電装置による除電等の作業を行わない。
【図面の簡単な説明】
【００１１】
【図１】本実施の形態に係る画像読取装置１０の構成を示した図である。
【図２】本実施の形態で用いる遮光板とコンタクトガラスのイメージ図である。
【図３】帯電の状況を説明する図である。
【図４】帯電の状況を説明する図である。
【図５】本実施の形態の処理手順を示したフローチャートである。
【符号の説明】
【００１２】
１０  画像読取装置
２０  遮光板
２２  紙搬送ベルト
２４  遮光板開閉感知センサ
２６  帯電装置
２８  除電装置
３０  コンタクトガラス
３２  原稿検知センサ
４０  スキャナ
５０  システム制御部
【図１】
2006050007.tif 000003
【図２】
2006050007.tif 000004
【図３】
2006050007.tif 000005
【図４】
2006050007.tif 000006
【図５】
2006050007.tif 000007